(57)【要約】【課題】  背もたれ部の傾動操作を簡易化するとともに、座いすの移動、固定も容易にできる等、座り心地や使い易さの点でも優れたリクライニング式座いすの提供。【解決手段】  キャスター付き座部と、リクライニング用ガスシリンダーに支持された背もたれにより座いす本体が構成され、座部の両サイドにははね上げ式肘掛けが設けられ、はね上げ式肘掛けの片側に前記リクライニング用ガスシリンダーの操作レバーが取着され、座部の両サイドに当該座いすの制動装置が取付けられている。【選択図】    図２
2005204706.tif 000002
【特許請求の範囲】
【請求項１】
前後四隅にキャスターを備えた移動式座部と、該移動式座部の後部に前後方向に回動可能に枢着され、リクライニング用ガスシリンダーにて任意の傾斜角度に支持される傾斜角度可変の背もたれとから座いす本体が構成され、前記移動式座部の両サイドにはね上げ式肘掛けが設けられ、かつ前記はね上げ式肘掛けの片側に前記リクライニング用ガスシリンダーの操作レバーが取着され、前記移動式座部の両サイドに接地面押圧方式の座いす制動装置が取付けられたリクライニング式座いす。
【請求項２】
前記移動式座部は、相平行する左右一対の水平部材と該水平部材間に横設した１ないし複数の連結部材および、前後四隅に設けた４個のキャスターとからなる座部枠体と、該座部枠体に取付けられた着脱式の座面シートとで構成されていることを特徴とする請求項１記載のリクライニング式座いす。
【請求項３】
前記傾斜角度可変の背もたれは、相平行する左右一対の縦部材と該縦部材間に横設した１ないし複数の連結部材で構成された背もたれ枠体と、該枠体に取付けられた着脱式の背当てシートで構成され、前記背もたれ枠体の下端部が前記座部枠体の後部に前後方向に回動可能に枢着され、上部が前記背もたれの背面側にブラケットを介して取付けられ、下部が前記座部枠体の後端部に前後方向に回動可能に枢着されたリクライニング用ガスシリンダーにて支持されていることを特徴とする請求項２記載のリクライニング式座いす。
【請求項４】
前記接地面押圧方式の座いす制動装置は、前記移動式座部の両サイドに取着された筒体および該筒体の内部に上下動可能に収容されてその両端部が上下面に突出する長さを有する制動用ロッドと、前記筒体内に嵌装されて前記制動用ロッドに常時接地面への押圧力を付与するスプリングと、前記筒体の上面に突出した前記制動用ロッドの上端部に軸ピンにて垂直方向に回動可能にかつその一端が前記筒体の上面に当接するごとく枢着された操作レバーとから構成され、前記操作レバーを垂直方向に回動させることによって前記制動用ロッドが前記スプリングに抗して上方に移動し接地面より離隔する機構となしたことを特徴とする請求項１〜３のいずれか１項記載のリクライニング式座いす。
【発明の詳細な説明】
【技術分野】
【０００１】
本発明は、特に高齢者用として好適なリクライニング式座いすに関する。
【背景技術】
【０００２】
従来の座いすは周知の通り、座面部と背もたれ部とから構成され、種類としては背もたれ部が固定のものや前後方向に折りたためる構造のもの、背もたれ部の傾斜角度が可変のリクライニング式が一般的である（特許文献１、２参照）。さらに、高級な座いすには、座面の両サイドに肘掛けが付いたものや、座面部にローラや車がついた移動式のものもある。
【特許文献１】特開２０００−２７９２５６
【特許文献２】実開平７−１４９３７
【発明の開示】
【発明が解決しようとする課題】
【０００３】
しかしながら、従来のリクライニング式座いすは、背もたれ部の傾斜角度可変機構として、背もたれ部の付け根部に一体的に組込まれたギヤとフックによる方式を採用しているのが一般的であるため、この種のものはギヤとフックの係合部が摩擦により摩耗してガタ付きが生じやすい上、背もたれの傾斜角度を変える際には、構造上、体（背中）を背もたれに当接させたままの姿勢で傾斜角度を変えることができないため、いったん体を背もたれより離して背もたれを前後に動かさなければならず、非常に不便である。また、座面部にローラや車輪がついた移動式のもので、座いすの位置を固定するための手段（制動手段等）が付いていない座いすの場合、座っている時の姿勢や体の動きにより不用意に座いすが動くことがあり不都合である。一方、座いすを固定するための手段が付いているものは、ローラや車輪自体にその制動手段がついているため、座面の高さが必然的に高くなり、通常の座いすとしての座り心地が得られない上、座ったままで容易に座いすの位置を変えることができないといった欠点がある。
【０００４】
本発明は、前記した従来の座いすの欠点を解消するために種々改善したもので、背もたれ部の傾動操作を簡易化するとともに、座いすの移動、固定も容易にできる等、座り心地や使い易さの点でも優れたリクライニング式座いすを提供することを目的とするものである。
【課題を解決するための手段】
【０００５】
本発明は、前後四隅にキャスターを備えた移動式座部と、該移動式座部の後部に前後方向に回動可能に枢着され、リクライニング用ガスシリンダーにて任意の傾斜角度に支持される傾斜角度可変の背もたれとから座いす本体が構成され、前記移動式座部の両サイドにはね上げ式肘掛けが設けられ、かつ前記はね上げ式肘掛けの片側に前記リクライニング用ガスシリンダーの操作レバーが取着され、前記移動式座部の両サイドに接地面押圧方式の座いす制動装置が取付けられたリクライニング式座いすを要旨とするものである。
また、前記移動式座部は、相平行する左右一対の水平部材と該水平部材間に横設した１ないし複数の連結部材および、前後四隅に設けた４個のキャスターとからなる座部枠体と、該座部枠体に取付けられた着脱式の座面シートとで構成することができる。
前記傾斜角度可変の背もたれは、相平行する左右一対の縦部材と該縦部材間に横設した１ないし複数の連結部材で構成された背もたれ枠体と、該枠体に取付けられた着脱式の背当てシートで構成し、前記背もたれ枠体の下端部を前記座部枠体の後部に前後方向に回動可能に枢着し、上部が前記背もたれの背面側にブラケットを介して取付けられ、下部が前記座部枠体の後端部に前後方向に回動可能に枢着されたリクライニング用ガスシリンダーにて支持することができる。
前記接地面押圧方式の座いす制動装置は、前記移動式座部の両サイドに取着された筒体および該筒体の内部に上下動可能に収容されてその両端部が上下面に突出する長さを有する制動用ロッドと、前記筒体内に嵌装されて前記制動用ロッドに常時接地面への押圧力を付与するスプリングと、前記筒体の上面に突出した前記制動用ロッドの上端部に軸ピンにて垂直方向に回動可能にかつその一端が前記筒体の上面に当接するごとく枢着された操作レバーとから構成し、前記操作レバーを垂直方向に回動させることによって前記制動用ロッドが前記スプリングに抗して上方に移動し接地面より離隔する機構となしたものを用いることができる。
【発明の効果】
【０００６】
本発明のリクライニング式座いすは、背もたれ部の傾動手段にリクライニング用ガスシリンダーを採用したことにより、体（背中）を背もたれに当接させたままの姿勢で心地好く傾斜角度を変えることができる上、その背もたれ部の傾動操作を肘掛け部で容易に行うことができ、また背もたれ部の傾動機構が簡単でかつ耐久性に富み常に安定した動作が得られ、さらに移動式座部の両サイドに接地面押圧方式の座いす制動装置を設けたことにより、座面の高さを低くすることができるのみならず、座ったままで容易に座いすの制動、解除ができる等の優れた効果を奏する。
【発明を実施するための最良の形態】
【０００７】
図１は本発明のリクライニング式座いすを示す斜視図、図２は同上座いすの側面図、図３は同上座いすを背面方向から見た部分斜視図、図４は同上座いすのリクライニング用ガスシリンダーの操作レバー部を拡大して示す断面図、図５は同上座いすの接地面押圧方式の座いす制動装置を拡大して示す断面図であり、１は移動式座部、２は背もたれ、３はリクライニング用ガスシリンダー、４ははね上げ式肘掛け、５はリクライニング用ガスシリンダーの操作レバー部、６は接地面押圧方式の座いす制動装置である。
【０００８】
移動式座部１は、図１、図２に示すように、座部枠体１−１と該座部枠体に取付けられた着脱式の座面シート１−２および、座部枠体１−１の四隅に設けた４個のキャスター１−３とから構成され、前記座部枠体１−１は比較的長尺の相平行する左右一対の水平部材１−１ａと該水平部材間の後部に横設した連結部材１−１ｂとからなり、水平部材１−１ａの内面側に一体的に取着した断面Ｌ形のシート受け１−１ｃ上に座面シート１−２をねじ等で着脱可能に取付けている。
【０００９】
背もたれ２は、図２、図３に示すように、前記座部枠体１−１の背面側後部にリクライニング用ガスシリンダー３にて傾斜角度可変に取付けられおり、その背もたれ本体は、背もたれ枠体２−１と該枠体に取付けられた着脱式の背もたれシート２−２とから構成され、背もたれ枠体２−１は前記座部枠体１−１とほぼ同一幅を隔てて相平行する左右一対の縦部材２−１ａと該縦部材間の上下部とほぼ中央部の３か所に横設した連結部材２−１ｂとからなり、該背もたれ枠体２−１の座面側に前記背もたれシート２−２をねじ等で着脱可能に取付けている。そして、この背もたれ枠体２−１の左右一対の縦部材２−１ａの下端部を、前記座部枠体１−１の水平部材１−１ａ上に取着したジョイント２−１ｃに軸ピン２−１ｄにて前後方向に回動可能に枢着し、前記座部枠体１−１との間に立て向きに設置したリクライニング用ガスシリンダー３にて支持している。リクライニング用ガスシリンダー３は、上部を座部枠体１−１の上部の連結部材２−１ｂにブラケット３−１を介して取付け、下端を前記座部枠体１−１の後部の連結部材１−１ｂにブラケット３−２を介して回動可能に取付けている。このリクライニング用ガスシリンダー３は、上部のレバー３−３を引き上げるとシリンダーがフリーの状態となり背もたれ２がリクライニング可能となり、前記レバー３−３をはなすとシリンダーがロックされて自動的に背もたれ２がその位置に固定されるようになっているので、任意の角度にリクライニングできる。本発明では、このリクライニング用ガスシリンダー３の操作をはね上げ式肘掛け４に設けた操作レバー部５で行う方式をとっている。
すなわち、図４に拡大して示すように、はね上げ式肘掛け４の底面に取着したブラケット５−１内に軸ピン５−３を支点に上下方向に回動可能に取付けた操作レバー５−２と、リクライニング用ガスシリンダー３のレバー３−３とをワイヤ５−４で繋ぎ、前記操作レバー５−２を上方向に回動させるとその動きに連動してリクライニング用ガスシリンダー３のレバー３−３がワイヤ５−４を介して引き上げられ、操作レバー５−２をはなすとリクライニング用ガスシリンダー３がロックされる仕組みとなしている。したがって、この方式によれば、はね上げ式肘掛け４に設けた操作レバー部５で背もたれ２を任意の角度にリクライニングできる。
【００１０】
なお、はね上げ式肘掛け４は、図１、図２に示すように、その後端部を前記背もたれ２の背もたれ枠体２−１に軸ピン４−１にて上下方向に回動可能に枢着され、かつ前端側に設けたジョイント４−３に軸ピン４−４にて上下方向に回動可能に枢着された支持パイプ４−２が前記座部枠体１−１の側面に軸ピン４−６にて枢着された接合突起４−５に着脱可能に嵌合されて水平に支持されるとともに、前記支持パイプ４−２の下端部に枢着したＬ形ストッパー４−７を前記接合突起４−５の真下に回動位置させることによってロック（抜け止め）され、Ｌ形ストッパー４−７を横方向に回動位置させることによってロックが解除される仕組みとなっている。
【００１１】
接地面押圧方式の座いす制動装置６は、図５に拡大して示すように、前記移動式座部１の座部枠体１−１の両サイドに取着された筒体６−１と、本体部が該筒体の内径より小径となし、下部に前記筒体６−１内をスライド可能となす大径部６−２ａを有し、かつその両端部が前記筒体６−１の上下面より突出する長さを有し、前記筒体６−１内に上下動可能に収容された制動用ロッド６−２と、前記筒体６−１内の制動用ロッド６−２の大径部６−２ａと筒体６−１の上面部間に嵌装されて該制動用ロッド６−２に常時接地面への押圧力を付与するスプリング６−３と、前記筒体６−１の上面に突出した前記制動用ロッド６−２の上端部に軸ピン６−４にて垂直方向に回動可能にかつその一端が前記筒体６−１の上面に当接するごとく枢着された操作レバー６−５とから構成され、前記操作レバー６−５が水平状態（横に倒した状態）にある時はスプリング６−３により制動用ロッド６−２が下方に押圧されて接地面との摩擦で制動され（ブレーキがかかる）、操作レバー６−５をスプリング６−３に抗して上方へ起すと（図中の鎖線で示す状態）制動用ロッド６−２が上昇し接地面より離隔することにより制動が解除される仕組みとなっている。なお、制動力を増すため、制動用ロッド６−２の下部にゴム等の弾性体を貼りつけてもよい。
【００１２】
上記構成のリクライニング式座いすの場合は、体（背中）を背もたれ２に当接させたままの姿勢で、はね上げ式肘掛け４に設けた操作レバー部５の操作レバー５−２を手動で回動操作することにより、リクライニング用ガスシリンダー３に支持されている背もたれ２を任意の角度にリクライニングできる。また、座いすに座ったままで、座部枠体１−１の両サイドに設けた接地面押圧方式の座いす制動装置６の操作レバー６−５を手動で回動操作することにより座いすの制動、解除ができるので、座いすの位置を変えたり、定位置に固定させることが簡単にできる。さらに、肘掛けがはね上げ式となっているので、横からも出入りできる。
【図面の簡単な説明】
【００１３】
【図１】本発明のリクライニング式座いすを示す斜視図である。
【図２】同上座いすの側面図である。
【図３】同上座いすを背面方向から見た部分斜視図である。
【図４】同上座いすのリクライニング用ガスシリンダーの操作レバー部を拡大して示す断面図である。
【図５】同上座いすの接地面押圧方式の座いす制動装置を拡大して示す断面図である。
【符号の説明】
【００１４】
１  移動式座部
１−１  座部枠体
１−２  座面シート
１−３  キャスター
２  背もたれ
２−１  背もたれ枠体
２−２  背もたれシート
３  リクライニング用ガスシリンダー
３−１、３−２  ブラケット
３−３  レバー
４  はね上げ式肘掛け
４−１、４−４、４−６  軸ピン
４−２  支持パイプ
４−３  ジョイント
４−５  接合突起
４−７  Ｌ形ストッパー
５  リクライニング用ガスシリンダーの操作レバー部
５−１  ブラケット
５−２  操作レバー
５−３  軸ピン
５−４  ワイヤ
６  接地面押圧方式の座いす制動装置
６−１  筒体
６−２  制動用ロッド
６−３  スプリング
６−４  軸ピン
６−５  操作レバー
【図１】
2005204706.tif 000003
【図２】
2005204706.tif 000004
【図３】
2005204706.tif 000005
【図４】
2005204706.tif 000006
【図５】
2005204706.tif 000007
【手続補正書】
【提出日】平成16年3月18日(2004.3.18)
【手続補正１】
【補正対象書類名】図面
【補正対象項目名】全図
【補正方法】変更
【補正の内容】
【図１】
2005204706.tif 000008
【図２】
2005204706.tif 000009
【図３】
2005204706.tif 000010
【図４】
2005204706.tif 000011
【図５】
2005204706.tif 000012